(57)【要約】  【課題】  ケーブルが外れにくく、合成樹脂で一体成形することができ、剛性および強度が高いキャリアプレートおよびウインドレギュレータを提供する。  【解決手段】  板状の基板３と、その基板３のガイドレールＧと向かい合う面から立ち上がり、上昇および下降用のケーブルエンド２ａを係止するための係止板８ａを有する係止部５とを備えたキャリアプレート１。係止部５は箱状で、その上下の面が上下一対の係止板８ａであり、基板３の係止板８ａの間の部位には開口部５ａが形成され、係止板８ａの上側および下側には挿入口３ｃが形成されている。係止板８ａにはガイドレール側で止まり、反対側では開口するスリット８ｄが形成され、そのスリット８ｄにより前記開口部５ａと挿入口３ｃが連通している。【選択図】  図１
2005307529.tif 000002
【特許請求の範囲】
【請求項１】
上昇用および下降用のケーブルによりガイドレールに沿って昇降するウインドレギュレータ用のキャリアプレートであって、
そのキャリアプレートが、板状の基板と、その基板のガイドレールと向かい合う面から立ち上がり、上昇用および下降用のケーブルのケーブルエンドを係止するための係止板とを有し、
前記基板が、係止板の上または下側に隣接する開口部と、係止板を挟んで開口部と反対側に形成される挿入口とを備え、
前記係止板にガイドレール側で止まり、反対側では開口するスリットが形成され、そのスリットにより前記開口部と挿入口とが連通するキャリアプレート。
【請求項２】
前記開口部を挟んで上下に２枚の係止板が設けられ、それぞれの係止板に対応する挿入口を備えている請求項１記載のキャリアプレート。
【請求項３】
前記２枚の係止板の上端同士を連結して開口部の上方を覆う天面および係止板の側縁同士を連結する側面を有し、天面、側面および係止板によって内部にケーブルエンドを収納できる収納部を形成している請求項２記載のキャリアプレート。
【請求項４】
前記係止板が、その挿入口側の面におけるスリットの両側の部位から突出する一対の案内板を備え、
その案内板が、ガイドレール側の反対側に向かうにつれて、次第に開口部側に近づくように傾斜している請求項１、２または３記載のキャリアプレート。
【請求項５】
前記一対の案内板のうち少なくとも一方が、他方の案内板に向けて突出する小突起を備えている請求項４記載のキャリアプレート。
【請求項６】
ガイドレールと、そのガイドレールに沿って昇降する請求項１〜５のいずれかに記載のキャリアプレートと、そのキャリアプレートに係止される上昇用および下降用のケーブルと、それらのケーブルを交互に引き操作する駆動装置とを備えているウインドレギュレータ。
【発明の詳細な説明】
【技術分野】
【０００１】
本発明はキャリアプレートおよびそれを用いたウインドレギュレータに関する。さらに詳しくは、コントロールケーブルの端末を抜けにくいように係止することができ、かつ、容易に成形することができるキャリアプレートおよびそのキャリアプレートを用いたウインドレギュレータに関する。
【背景技術】
【０００２】
【特許文献１】特開２００２−８６８７１号公報
【特許文献２】実公平６−３９５１号公報
【特許文献３】特開２００１−８２０２７号公報
【０００３】
従来のキャリアプレートは、例えば図７ａに示すように、基板１０１と、その基板から突出するケーブル係止部１０２とを備えている。符号１０３、１０４はガイドレールと摺動するガイド部である。このキャリアプレート１００では、ケーブル係止部１０２は図７ｂに示すように箱を伏せた状態で基板１０１上に突出するように一体成形されている。ケーブル係止部１０２の天面１０２ａの中央にはケーブルエンド１０５を通すための貫通孔１０６が形成されると共に、天面１０２ａから上下の端面（係止板）１０２ｂにかけて、ケーブル１０７のみを通し、ケーブルエンドを通さないスリット１０８が形成されている。端面１０２ｂではスリット１０８は上向き、すなわち組み立て後にケーブル１０７が配置されるガイドレール側に向かって開口している。基板１０１のケーブル係止部１０２と対応する部位は、金型が入り込む開口１０９が形成されている。このようなキャリアプレート１００は、ガイド部１０３、１０４は摺動性がすぐれているＰＯＭなどの合成樹脂が用いられ、他の部材はＰＢＴなどの強度が高い合成樹脂が用いられてインサート成形により成形される。そのため、二層成形を行うことになりコストが高くなる。
【０００４】
特許文献１には、図８に示すようなニップル（ケーブルエンド）の脱着が容易で、かつ、ケーブルが弛んでもニップルが脱落しにくいウインドレギュレータのケーブル係止構造が開示されている。図８のワイヤ係止構造１１０は、上下方向に伸びる２本のワイヤケーブル１１１ａ、１１１ｂと、それらワイヤ１１１ａ、１１１ｂを係止するエンドホルダー１１２とからなる。エンドホルダー１１２は、ブロック状の部材であり、ワイヤ１１１ａ、１１１ｂの端部のニップル（ケーブルエンド）１１３を挿入できる円柱状の係止穴１１４およびケーブル１１１ａ、１１１ｂを案内する案内溝１１５が係止穴１１４と連通するように形成されている。このようなエンドホルダー１１２はキャリアプレートの基板１０１とは別個に形成され、基板１０１に固定される。
【０００５】
特許文献２には、図９に示すようなワイヤの脱落を防止するワイヤ係止構造１２０が開示されている。このワイヤ係止構造１２０は、背面から前面にかけて凹部を形成するように断面コ字状に折り曲げられた金属板製のキャリアプレート１２１と、そのキャリアプレート１２１を上方および下方に移動させるワイヤ１２２ａ、１２２ｂとからなる。前記キャリアプレート１２１は、前記コ字状の底部を形成する抜け止め壁１２３と、その抜け止め壁の端部から凹部を形成するように垂直に上方に延びる係止壁１２４とを備えている。前記抜け止め壁１２３には、ニップル１２５ａ、１２５ｂの片方だけがかろうじて通ることができる程度の矩形状の挿通孔１２６が設けられている。前記抜け止め壁１２３から係止壁１２４にかけては、ワイヤ１２２ａ、１２２ｂを通すことができる程度の幅を備え、挿通孔１２６の中心からズレた位置で連通するスリット１２７が形成されている。このワイヤ係止構造１２０は、基本的には図７のものと同じであるが、スリット１２７と挿通孔１２６がズレた位置で連通しているため、図中の二点鎖線に示すように、ニップル１２５ａ、１２５ｂが挿通孔１２６に向くようにワイヤ１２２ａ、１２２ｂを屈曲させなければ外すことができない。
【０００６】
特許文献３には、ケーブルの脱落防止構造が開示されている。このものは、樹脂材料で形成されているスライダベースを金属板製の補強板により補強して、そのスライダベースのケーブル端部が係止されている部分の経年変化による劣化により生ずる破損により、ケーブルが脱落するのを防止するものである。
【発明の開示】
【発明が解決しようとする課題】
【０００７】
ケーブル端部に固着されたケーブルエンドには、ある程度のテンションが加えられた状態でキャリアプレートに係止されている。しかし経年変化によりケーブルに弛みが生じると、キャリアプレートを一方に移動させるとき、もう片方のケーブルには弛みが生じ、その弛みによりケーブルエンドと係止部との間に隙間が生じる。この隙間はケーブルの移動を許す隙間ともなるので、不意にケーブルが係止部から外れる方向に移動してしまう危険もある。また、ケーブルを係止している係止部には、常時、大きな力が加わる。図７のキャリアプレート１００は合成樹脂で成形できるが、ケーブル係止部１０２の天面１０２ａに貫通孔１０６があり、しかも基板１０１にも開口１０９があるので、剛性が低くなる。そのため、係止部には強度の高い材質が用いられたり、強度を高くしたりする構造が採用される。
【０００８】
特許文献１〜２にあるように、ケーブルの弛みによるケーブルエンドの脱落に対処するには、ケーブルを係止部に複雑な経路で係止して外れにくくすることが行われている。しかし、ケーブルはいくらでも複雑に係止することはできるが、それではケーブルを取り付けるのも煩雑となる。また特許文献１では係止部を別部品として別途用意しなければならない。同じように、強度を高くしようとすると、その部分だけは強度の高い材質を用いた別部品として用意しなければならない。
【０００９】
そこで、本発明ではケーブルが外れにくく、かつ、製造しやすいキャリアプレートを提供することを課題としている。さらに本発明は合成樹脂で一体成形することができ、かつ、剛性および強度が高いキャリアプレートを提供することを課題としている。さらに本発明はキャリアプレートからケーブルが抜けにくく、窓ガラスをしっかりと支持することができ、自動車のドア内への組み付けが容易なウインドレギュレータを提供することを課題としている。
【課題を解決するための手段】
【００１０】
本発明のキャリアプレート（請求項１）は、上昇用および下降用のケーブルによりガイドレールに沿って昇降するウインドレギュレータ用のキャリアプレートであって、そのキャリアプレートが、板状の基板と、その基板のガイドレールと向かい合う面から立ち上がり、上昇用および下降用のケーブルのケーブルエンドを係止するための係止板を有し、前記基板が、係止板の上または下側に隣接する開口部と、係止板を挟んで開口部と反対側に形成される挿入口とを備え、前記係止板にガイドレール側で止まり、反対側では開口するスリットが形成され、そのスリットにより前記開口部と挿入口が連通することを特徴としている。
【００１１】
このようなキャリアプレートは、前記開口部を挟んで上下に２枚の係止板が設けられ、それぞれの係止板に対応する挿入口を備えているものが好ましい（請求項２）。また、前記２枚の係止板の上端同士を連結し開口部の上方を覆う天面および係止板の側縁同士を連結する側面を有し、天面、側面および係止板によって内部にケーブルエンドを収納できる収納部を形成しているものが好ましい（請求項３）。さらに、前記係止板が、その挿入口側の面におけるスリットの両側の部位から突出する一対の案内板を備え、その案内板が、ガイドレール側の反対側に向かうにつれて、次第に開口部側に近づくように傾斜しているものが好ましい（請求項４）。また、前記一対の案内板のうち少なくとも一方が、他方の案内板に向けて突出する小突起を備えているものが好ましい（請求項５）。
【００１２】
本発明のウインドレギュレータ（請求項６）は、ガイドレールと、そのガイドレールに沿って昇降する前記いずれかのキャリアプレートと、そのキャリアプレートに係止される上昇用および下降用のケーブルと、それらのケーブルを交互に引き操作する駆動装置とを備えていることを特徴としている（請求項６）。
【発明の効果】
【００１３】
本発明のキャリアプレート（請求項１）は、係止板に形成された裏面側（ガイドレールと反対側）に開口するスリットより、挿入口および開口部が連通している。そのため、基板の表面側(ガイドレール側)からケーブルエンドを挿入口へ挿入して裏面側へと斜め向きに通し、そこからケーブルをスリットに通して引っ張ると、ケーブルエンドが再び開口部より表面側に現れ、ケーブルエンドを係止板へと係止することができる。そうすると、ケーブルエンドが裏面側に移動してスリットから外れても、ケーブル部分は、基板に邪魔されて裏面側に抜けることができない。
【００１４】
また、係止板が突出している方向にはガイドレールが配置されているので、ケーブルエンドをスリットから抜き去るのに、ケーブル部分をガイドレール側へと引き上げようにも、ガイドレールが邪魔をする。このように、ケーブルはガイドレールおよび基板に挟まれて配置されるので、ケーブル側からケーブルエンドを移動させにくい構造となっており、ケーブルエンドが係止板から外れにくい。
【００１５】
このようなキャリアプレートは、前記開口部を挟んで上下に２枚の係止板が設けられ、それぞれの係止板に対応する挿入口を備えている場合は（請求項２）、上昇および下降用のそれぞれのケーブルの向きに応じて係止板を配置して、ケーブルエンドを係止することができる。また、前記２枚の係止板の上端同士を連結し開口部の上方を覆う天面および係止板の側縁同士を連結する側面を有し、天面、側面および係止板によって内部にケーブルエンドを収納できる収納部を形成している場合は（請求項３）、挿入口から開口部まで通されたケーブルエンドをその係止部に収納して、ケーブルエンドから係止面に加わる力を収納部全体でもって支えることができる。さらに、前記係止板が、その挿入口側の面におけるスリットの両側の部位から突出する一対の案内板を備え、その案内板が、ガイドレール側の反対側に向かうにつれて、次第に開口部側に近づくように傾斜している場合は（請求項４）、ケーブルを挿入口から挿入する場合に、ケーブル部分を持って、ケーブルエンドをその案内板に沿わせると、斜め向きに挿入しやすい。
【００１６】
また、前記一対の案内板のうち少なくとも一方が、他方の案内板に向けて突出する小突起を備えている場合は（請求項５）、ケーブルをその小突起を超えるようにスリット内に配置すると、ケーブルを外すのにケーブルを傾け、さらに、小突起を避けるように湾曲させてなければならないので、さらに、係止部からケーブルが外れにくい構造となる。
【００１７】
本発明のウインドレギュレータは、前述のキャリアプレートおよびケーブルを備えているので、組み立てが容易であり、しかも車体に組み付けた後、キャリアプレートからケーブルが脱落しにくい。
【発明を実施するための最良の形態】
【００１８】
つぎに図面を参照しながら本発明のキャリアプレートおよびウインドレギュレータの実施の形態を説明する。図１は本発明のキャリアプレートの一実施形態を示す正面図、図２は図１のキャリアプレートの背面図、図３は本発明のウインドレギュレータの一実施形態を示す正面図、図４ａは図３のＸ−Ｘ線断面図、図４ｂは図１のキャリアプレートの斜面図、図４ｃは図１のＩ−Ｉ線断面図、図４ｄは図１のＩＩ-ＩＩ線断面図、図５ａはそのキャリアプレートの係止部の部分拡大図、図５ｂは図５ａの係止部の背面図、図５ｃは図１のＩＩＩ−ＩＩＩ線断面図、図５ｄは図１のＩＶ−ＩＶ線断面図、図６ａはプルケーブルを係止部に係止する手順を示す概断面図、図６ｂはプルケーブルが小突起を避けてスリット内へ通される様子を示す概略背面図、図６ｃ〜ｅはプルケーブルを係止部に係止する他の手順を示す概略断面図である。
【００１９】
はじめに、図３を参照して本発明のウインドレギュレータの実施形態を説明する。図３に示すウインドレギュレータＡは、ガイドレールＧと、そのガイドレールＧによりガイドされるキャリアプレート１と、そのキャリアプレート１によって支えられる窓ガラスＷと、前記キャリアプレート１を昇降させるための正逆可動な駆動モータＭと、その駆動モータＭによって減速機を介して回転駆動されるドラムＲと、そのドラムＲに両端部が巻き付けられると共に、ループ状に配索され、途中が前記キャリアプレート１に係止されるプルケーブル２とからなる。
【００２０】
前記ガイドレールＧの上端および下端には、ケーブルの向きを方向転換するためのプーリＰまたはガイドが設けられている。それらのプーリＰとドラムＲを収容するケースＫとは、ケーブル２を摺動自在に案内する導管Ｄによって連結されている。駆動モータＭ、減速機およびドラムＲは従来公知のものであり、詳細な説明は省略する。このようなウインドレギュレータＡは、前記駆動モータＭが一方向に回転すると、その回転に伴い前記ドラムＲが回転し、ドラム上に上昇用のプルケーブル２を巻き取り、下降用のプルケーブル２を送り出す。駆動モータＭが逆方向に回転すると、下降用のプルケーブル２が巻き取られ、上昇用のプルケーブル２が送り出される。このようにしてドラムＲの回転運動を前記プルケーブル２が前記キャリアプレート１に伝達して、ガイドレールＧに沿って窓ガラスＷが昇降する。
【００２１】
前記プルケーブル２は、金属素線を複数本撚り合わせた従来公知のものであり、通常はキャリアプレート１を上向きに引っ張る上昇用ケーブルと下側に引っ張る下降用ケーブルとに分かれ、それぞれ一端がキャリアプレート１に、他端がドラムＲに係止される。そのプルケーブル２、２のキャリアプレート１側の端部には、六角柱状のケーブルエンド２ａ、２ａ（図６参照）がそれぞれ形成されている。そのケーブルエンド２ａは鋳型により金属を流しこんで形成したり、あるいはカシメにより固着することにより形成される。
【００２２】
図４ａを用いて、ガイドレールＧについて説明する。ガイドレールＧは、板状部材であり、中央部Ｇａと、その中央部Ｇａの一端を垂直に下方に折り曲げて、そこからさらに上方へと折り返した二重折り曲げ部分Ｇｂと、その二重折り曲げ部Ｇｂからさらに外側に向かって垂直に折り曲げた端部Ｇｃと、前記中央部Ｇａの他端を垂直上方に折り曲げた垂直部Ｇｄとからなる。
【００２３】
図１は、本発明に係るキャリアプレート１がガイドレールＧにガイドされる側（以下、表側という）を示している。キャリアプレート１は、基板３と、ガイドレールＧ上を摺動するためのガイド部４と、ケーブルエンド２ａを係止するためのケーブル係止部５とからなる。また、基板３には、その上部の左右２箇所に窓ガラスＷを固定するための固定部３ａ、３ａが設けられている。
【００２４】
前記基板３の表面には多数の多角形状、とくに矩形状の凹部３ｂが設けられている。その表側の凹部３ｂと対応する背面側（図２および図４ｃ、ｄ参照、以下、裏側という）では反対に凸状の形状である。つまり、キャリアプレート１の表側と裏側で互い違いに凹部３ｂを配置することにより、それぞれの面に凹凸形状が現わされている。そのような凹凸形状を設けると、基板３を全体にわたって厚くしなくとも、強度を高くすることができ、凹部３ｂの分だけ重量を軽減し、さらには材料の節約にもなる。また、成形時には、成形品の収縮や膨張による形状変化を緩和して、成形後における寸法精度が高くなる。なお、このようなキャリアプレート１に使用される材料はＰＢＴ（ポリブチレンテレフタレート）またはＰＥＴ（ポリエチレンテレフタレート）が好ましく、特にＰＯＭ（ポリオキシメチレン）のような摺動性のよい材料が好ましい。
【００２５】
図１に戻って、前記基板３には係止部５の上および下の２箇所からそれぞれ裏側に貫通する挿入口３ｃ、３ｃ形成されている。その挿入口３ｃ、３ｃはケーブルエンド２ａ、２ａを基板３の表側から裏側へと導き係止部５内部まで案内する。また、前記挿入口３ｃは、基板３の表側から裏側に向かうにつれて、係止部５側へ傾斜しているため、ケーブルエンド２ａが容易に通り抜けることができる。なお、挿入口３ｃの開口の大きさは、ケーブルエンド２ａをやっと通すことができる程度が好ましく、表側から裏側に向けて開口の大きさを次第に狭めるように形成すると、一旦係止部５へ向けてケーブルエンド２ａ、２ａを裏側へと貫通させると、容易に表側へと戻らないようにできる（図５ｃ参照）。
【００２６】
ここから図４ａ、ｂも併せて、ガイド部４について説明する。ガイド部４は、ガイドレールＧの二重折り曲げ部Ｇｂをガイドする二重折り曲げ押さえ４ａと、垂直部Ｇｄをガイドする押さえ４ｂからなる。前記二重折り曲げ押さえ４ａは、キャリアプレート１の移動方向に２箇所形成される上押さえ４ｃ、４ｃと、二重折り曲げ部Ｇｂを摺動させるスリット形状である挟み部４ｄとからなる。前記上押さえ４ｃは、基板３から延びており、二重折り曲げ部Ｇｂが折り返されて重なる部分を上方からある程度の弾力でもって押さえることができる凸状を有した鉤状の部材である。一方、前記押さえ４ｂは、垂直板Ｇｄの上端部分および側面をガイドすることができる断面が直角形状の部材である。
【００２７】
次に、図５ａおよび図５ｂを用いてケーブル係止部５について説明する。ケーブル係止部５は基板３の中央近辺に設けられ、内部にケーブルエンド２ａ、２ａを収納できる箱状であり、前記基板３の表側は蓋をするように閉じられており、裏側に開口部５ａを形成している。その係止部５は、表側に蓋をする天面６と、その天面６の左右から垂直に基板３に向かって延びる側面７、７と、前記天面６の上下端に配置されプルケーブル２の挿入路となる挿入部８、８とからなる。
【００２８】
前記天面６は、ガイドレールＧの中央部Ｇａとほぼ接するように配置され、ガイド部４の反対側からガイドレールＧを支持してキャリアプレート１のガイドとなる（図４ａ参照）。天面６には開口部もスリットも設けられていない。そのため剛性が高い。さらにこの実施形態では、ケーブル係止部５は隣接するリブと一体に形成されているので、剛性が一層高い。
【００２９】
前記挿入部８は、天面６の上下端から垂直に基板３に向かって延びる係止板８ａ、８ａを有しており、その係止板８ａにより挿入口３ｃと係止部５の内部が隔てられている。すなわち係止板８ａは箱状の係止部５の上下の壁である。係止板８ａには、垂直外向きに互いに平行に突出する２枚の案内板８ｂ、８ｂが形成されている。案内板８ｂのうちガイド部４側からは、もう一方の案内板８ｂに向かって突出する小突起８ｃが設けられている。さらに、前記係止板８ａを両脇に配して、その中間には、裏側から天面６付近まで切れ込まれたスリット８ｄが形成され、そのスリット８ｄにより挿入口３ｃと係止部５の内部とが連通する。スリット８ｄは天面まで達しておらず、途中で止まっている。
【００３０】
前記係止板８ａは、スリット８ｄからプルケーブル２を通してケーブルエンド２ａを係止部５の内部に収納して係止する。なお、スリット８ｄの幅はプルケーブル２の直径とほぼ等しい幅に形成するのが好ましい。前記案内板８ｂ、８ｂは、スリット８ｄより幅広の間隔で平行に延び、基板３の裏側から表側へ向かって次第に長く延びるように形成され、ケーブルエンド２ａを挿入口３ｃへと案内する斜面８ｅを形成している（図５ｃ、図６ａ参照）。前記小突起８ｃは、平行に延びる２枚の案内板８ｂ、８ｂの間にプルケーブル２を通すことができる程度の隙間を残しながら、もう一方の案内板８ｂに向けて延びている。そのため、プルケーブル２はスリット８ｄから案内板８ｂ、８ｂの中心部分を通過して抜けることができず、案内板８ｂ、８ｂから抜け出す前に一旦、小突起８ｃとぶつかる。小突起８ｃは左右両側の案内板８ｂに設けることもできる。
【００３１】
次に図６ａを用いて係止部５にケーブルエンド２ａを取り付ける手順を示す。係止板８ａのスリット８ｃは下方に開口しているので、ケーブルエンド２ａは下側から係止部５の内部に収容し、プルケーブル２は開口部５ａの下側からスリット８ｃに挿入する必要がある。そのため、図６ａに示すようにプルケーブル２は斜め下向きに保持して、まず挿入口３ｃに挿入する。そのとき、案内板８ｂに沿わせて挿入すると、挿入が容易である。そしてケーブルエンド２ａが係止板８ａを越えて開口部５ａに入ってから、プルケーブル２をスリット８ｄに挿入しながら基板３と平行にする。その状態でプルケーブル２を引張ると、図６ｂのようにケーブルエンド２ａは係止板８ａの内面と係合する。プルケーブル２をスリット８ｄに挿入して基板３と平行にするとき、プルケーブル２は案内板８ｂの小突起８ｄを超えて上側にくる。そのため、一旦、基板３と平行になると、斜めになりにくい。
【００３２】
次に、図６ｃ〜ｅを用いて係止部５にケーブルエンド２ａを取り付ける他の方法を示す。図６ｃでは、キャリアプレート１の表側から、プルケーブル２を少し斜め方向に傾けてケーブルエンド２ａを挿入口３ｃへと向かわせている。次いで、図６ｄでは、ケーブルエンド２ａは案内板８ｂの斜面８ｅにぶつかって、その斜面に沿うように押し込まれる。ケーブルエンド２ａがさらに押し込まれて、ついには係止板８ａの下端を越えてキャリアプレート１の裏側まで抜けると、屈曲していたプルケーブル２の弾性による元に戻ろうとする力により、ケーブルエンド２ａは係止部５の内部に収納される（図６ｅの二点鎖線）。このように、プルケーブル２を大きく傾けなくともプルケーブル２を挿入口３ｃに押し込むことにより自然とケーブルエンド２ａを係止部５の内部に収納することができる。その後、プルケーブル２はスリット８ｄへ小突起８ｃにぶつかるまで通される。
【００３３】
図６ｂに、キャリアプレート１を裏側から見た様子を示す。前記小突起８ｃにぶつかるまで挿入されたプルケーブル２は、小突起８ｃを避けるように屈曲させて、そのままプルケーブル２をキャリアプレート１の表側に向けて引く。すると、プルケーブル２が小突起８ｃと天面６の間に挟まれて配置される（図４ａ参照）。このときケーブルエンド２ａは天板６、係止板８ａ、８ａおよび側壁７、７の係止部５全体で支えることができるので、強度が高く破損しにくい。なお、係止部５の内部の大きさは、ケーブルエンド２ａ、２ａがようやく入ることができる程度の大きさが好ましいが、ケーブルの伸び、あるいは係止部５内部への収納の容易さを考慮して余裕をもった寸法で形成される。さらに、ケーブルエンド２ａ、２ａの形状が六角形状である場合は、係止部５の内部の形状も、その六角形状と対応する形状にすると、プルケーブル２ａが軸周りに回転することを防止しすることができるので、確実にケーブルエンド２ａを保持して収納することができる（図５ｄ参照）。なお、案内板８ｂの斜面８ｅと基板３とがなす角度α（図６ｃ参照）はプルケーブル２の屈曲可能な半径も考慮して、７０〜９０度、特に８２〜８４度が好ましい。
【００３４】
一方、プルケーブル２を係止部５から取り外すのに、前述したように、係止部５へケーブルエンド５ａを係止したときと逆の手法を辿ってみると（図６ｅ参照）、まずプルケーブル２を小突起８ｃを避けるように屈曲させ（図６ｂ参照）、その後、図６ｅに示すようにケーブルエンド２ａを裏側に向けて屈曲させなければならない。しかし、プルケーブル２側からはケーブルエンド２ａに軸方向にしか力を伝えることができないので、ケーブルエンド２ａを裏側に向けて屈曲させることができない。また、プルケーブル２は基板３が邪魔をして裏側へは抜けることができないので、ケーブルエンド２ａと共に基板３の裏側に向かって外れることがない。
【００３５】
そこで、まずプルケーブル２を表側に傾けて、ケーブルエンド２ａを係止部５内から裏側に向かわせる（図６ａ参照）。次いで、プルケーブル２をそのまま軸方向に裏側に向かって押し込むと、ケーブルエンド２ａは係止部５の内部から裏側へ外れる。このとき、プルケーブル２を基板３の表側に引き上げる角度は、係止部５の内部の深さｄに関係し、その深さｄは１２〜１４ｍｍ、特に１２．５〜１３．５ｍｍが好ましい。なお、このときにプルケーブル２は８２〜８４度の角度で表側へと引き上げることになる。
【００３６】
本発明のキャリアプレート１によると、係止部５の強度を高くすることができるので、基板３、ガイド部４および係止部５を同一の材料を用いて一体成形することができる。その場合には、ガイドレールＧとの摺動性を考慮してＰＯＭのような材質のもので形成しても高い強度を得ることができ、係止部５の強度を高めることができる。さらに、同じ材料を用いて成形できるため安価である。また、一旦ケーブルエンドを係止部５に係止したならば、一定の角度以上にプルケーブル２を引き上げないとケーブルエンド２ａを外すことができない。さらにそのような角度まで、プルケーブル２を引き上げようにも、ガイドレールＧにより邪魔されているので、容易にケーブルエンド２ａが外れることがない。
【００３７】
さらに、このようなキャリアプレート１を用いた本発明のウインドレレギュレータＡでは、前述のようにキャリアプレート１にプルケーブル２を係止するのが容易である。また、一旦、プルケーブル２を係止してしまえば、容易に外れることがない。また、ウインドレギュレータＡを１つのユニットとして搬送する際にも、振動などにより、不意にプルケーブル２が外れることがない。
【図面の簡単な説明】
【００３８】
【図１】本発明のキャリアプレートの一実施形態における正面図である。
【図２】図１のキャリアプレートの背面図である。
【図３】本発明のウインドレギュレータの一実施形態を示す正面図である。
【図４】図４ａは図３のＸ−Ｘ線断面図、図４ｂは図１のキャリアプレートの斜面図、図４ｃは図１のＩ−Ｉ線断面図、図４ｄは図１のＩＩ-ＩＩ線断面図である。
【図５】図５ａは図１のキャリアプレートの係止部の部分拡大図、図５ｂは図５ａの係止部の背面図、図５ｃは図１のＩＩＩ−ＩＩＩ線断面図、図５ｄは図１のＩＶ−ＩＶ線断面図である。
【図６】図６ａはプルケーブルを係止部に係止する手順を示す概断面図、図６ｂはプルケーブルが小突起を避けてスリット内へ通される様子を示す概略背面図、図６ｃ〜ｅはプルケーブルを係止部に係止する他の手順を示す概略断面図である。
【図７】図７ａは従来のキャリアプレートの斜面図、図７ｂはそのキャリアプレートの係止部の一部切り欠き断面図、図７ｃは図７ａのＩ−Ｉ線断面図である。
【図８】従来のキャリアプレートの係止構造の一例を示す斜面図である
【図９】従来のキャリアプレートの係止構造の他の例を示す斜面図である。
【符号の説明】
【００３９】
１  キャリアプレート
２  プルケーブル
２ａ  ケーブルエンド
３  基板
３ａ  固定部
３ｂ  凹部
３ｃ  挿入口
４  ガイド部
４ａ  二重折り曲げ押さえ
４ｂ  押さえ
４ｃ  上押さえ
４ｄ  挟み部
５  係止部
５ａ  開口部
６  天面
７  側面
８  挿入部
８ａ  係止板
８ｂ  案内板
８ｃ  小突起
８ｄ  スリット
８ｅ  斜面
Ａ  ウインドレギュレータ
Ｄ  導管
Ｇ  ガイドレール
Ｇａ  中央部
Ｇｂ  二重折り曲げ部
Ｇｃ  折り曲げ端部
Ｇｄ  垂直部
Ｋ  ケース
Ｍ  モータ
Ｐ  プーリ
Ｒ  ドラム
Ｗ  窓ガラス
【図１】
2005307529.tif 000003
【図２】
2005307529.tif 000004
【図３】
2005307529.tif 000005
【図４】
2005307529.tif 000006
【図５】
2005307529.tif 000007
【図６】
2005307529.tif 000008
【図７】
2005307529.tif 000009
【図８】
2005307529.tif 000010
【図９】
2005307529.tif 000011